(57)【要約】【課題】室外に悪臭を生じさせないように室内の換気を行う換気装置を実現する。【解決手段】室外に設置した臭気センサ２０が検知した臭気の強度が所定値以下である場合、換気の風量を上げるように換気ファン１０を作動させることで、室内の換気を強めに行い、また、室外に設置した臭気センサ２０が検知した臭気の強度が所定値を超えている場合、換気の風量を下げるように換気ファン１０を作動させることで、室内の換気を弱めに行う。このように換気装置１００を制御することで、室内の空気を排出した室外でその換気による臭気の悪化がない場合には、室内の換気を強めに行って、室内環境の改善を図ることができる。一方、室内の空気を排出した室外でその換気による臭気の悪化が懸念される場合には、臭気の発生源である室内の環境改善は二の次にしてその室内の換気を弱めに行うことで、室外の環境悪化を招かないようにすることができる。【選択図】図１
2019143932.tif 000002
【特許請求の範囲】
【請求項１】
室内の空気を吸い込む吸込口と換気ファンの間に設けられている第１流路と、
前記空気を室外に排出する排気口と前記換気ファンの間に設けられている第２流路と、
前記排気口の配設位置に対応させて室外の所定位置に設置されている臭気センサと、
前記臭気センサが検知した臭気のレベルに応じて、前記排気口を通じて室外に排出する前記空気の量を調節する換気量調整手段と、
を備えたことを特徴とする換気装置。
【請求項２】
前記換気量調整手段は、前記臭気センサが検知した臭気の強度が所定値を超える場合には、前記換気ファンによる風量を下げ、前記臭気センサが検知した臭気の強度が所定値以下である場合には、前記換気ファンによる風量を上げるように、前記換気ファンを作動させる制御を実行することを特徴とする請求項１に記載の換気装置。
【請求項３】
前記換気量調整手段は、前記臭気センサが検知した臭気の強度の変化率が所定の上昇率を超える場合には、前記換気ファンによる風量を下げるように、前記換気ファンを作動させる制御を実行することを特徴とする請求項１又は２に記載の換気装置。
【請求項４】
前記第２流路には、その流路の開度を切り替える空調ダンパが設けられ、
前記空調ダンパと前記換気ファンの間の前記第２流路には、その第２流路から前記室内に通じる第３流路が設けられており、
前記換気量調整手段は、前記空調ダンパによる流路の開度の切り替えによって、前記排気口を通じて室外に排出する前記空気の量を調節することを特徴とする請求項１に記載の換気装置。
【請求項５】
前記換気量調整手段は、前記臭気センサが検知した臭気の強度が所定値を超える場合には、前記流路の開度を下げ、前記臭気センサが検知した臭気の強度が所定値以下である場合には、前記流路の開度を上げるように、前記空調ダンパを作動させる制御を実行することを特徴とする請求項４に記載の換気装置。
【請求項６】
前記換気量調整手段は、前記臭気センサが検知した臭気の強度の変化率が所定の上昇率を超える場合には、前記流路の開度を下げるように、前記空調ダンパを作動させる制御を実行することを特徴とする請求項４又は５に記載の換気装置。
【請求項７】
前記第３流路には、脱臭ユニットが設けられていることを特徴とする請求項４〜６のいずれか一項に記載の換気装置。
【発明の詳細な説明】
【技術分野】
【０００１】
本発明は、室内を換気するのに、室外へ排気する室内空気の排出量を室外の状況に応じて調整する換気装置に関する。
【背景技術】
【０００２】
従来、公衆トイレや喫煙ルームなどの室内を換気する場合に、その設備の周囲の人達に対して迷惑をかけないように、排気する空気中の臭気対策が必要になっている。
例えば、排気する室内空気の臭気強度を臭いセンサで検知し、臭気強度が所定値以上であれば臭気吸着材槽を通した室内空気を室外へ排気し、臭気強度が所定値以下に下がれば室内空気をそのまま室外へ排気するようにした脱臭制御システムが知られている（例えば、特許文献１参照。）。
【先行技術文献】
【特許文献】
【０００３】
【特許文献１】特開２００２−３９５８１号公報
【発明の概要】
【発明が解決しようとする課題】
【０００４】
しかしながら、上記従来技術のように、臭気強度が所定値以下の室内空気を室外へ排気した場合であっても、その排気された空気が淀むなどして室外に強い臭気が生じてしまうことが問題になることがあった。
【０００５】
本発明の目的は、室外に悪臭を生じさせないように室内の換気を行う換気装置を提供することである。
【課題を解決するための手段】
【０００６】
上記目的を達成するため、本出願に係る換気装置は、
室内の空気を吸い込む吸込口と換気ファンの間に設けられている第１流路と、
前記空気を室外に排出する排気口と前記換気ファンの間に設けられている第２流路と、
前記排気口の配設位置に対応させて室外の所定位置に設置されている臭気センサと、
前記臭気センサが検知した臭気のレベルに応じて、前記排気口を通じて室外に排出する前記空気の量を調節する換気量調整手段と、
を備えるようにした。
【０００７】
かかる構成の換気装置であれば、室外に設置した臭気センサが検知した臭気のレベルに応じて、排気口を通じて室外に排出する空気の量を調節することができる。
例えば、室外に設置した臭気センサが検知した臭気が弱いレベルである場合、室外に排出する空気の量を多くするようにして強めの換気を行い、室外に設置した臭気センサが検知した臭気が強いレベルである場合、室外に排出する空気の量を少なくするようにして弱めの換気を行うことができる。
つまり、室内の空気を排出した室外でその換気による臭気の悪化がない場合には、室内の換気を強めに行って、室内環境の改善を図ることができる。
一方、室内の空気を排出した室外でその換気による臭気の悪化が懸念される場合には、臭気の発生源である室内の環境改善は二の次にしてその室内の換気を弱めに行うことで、室外の環境悪化を招かないようにすることができる。
このようにして、室外に悪臭を生じさせないように室内の換気を行うことができる。
【０００８】
また、望ましくは、
前記換気量調整手段は、前記臭気センサが検知した臭気の強度が所定値を超える場合には、前記換気ファンによる風量を下げ、前記臭気センサが検知した臭気の強度が所定値以下である場合には、前記換気ファンによる風量を上げるように、前記換気ファンを作動させる制御を実行する（例えば、換気ファンの回転数を制御する）ようにする。
【０００９】
このような換気装置であれば、室外に設置した臭気センサが検知した臭気の強度が所定値を超える場合には、換気ファンによる風量を下げて弱めの換気を行い、室外に設置した臭気センサが検知した臭気の強度が所定値以下である場合には、換気ファンによる風量を上げて強めの換気を行うようにすることができる。
こうすることで、室外に悪臭を生じさせないように室内の換気を行うことができる。
【００１０】
また、望ましくは、
前記換気量調整手段は、前記臭気センサが検知した臭気の強度の変化率が所定の上昇率を超える場合には、前記換気ファンによる風量を下げるように、前記換気ファンを作動させる制御を実行する（例えば、換気ファンの回転数を制御する）ようにする。
【００１１】
このような換気装置であれば、室外に設置した臭気センサが検知した臭気の強度の変化率が所定の上昇率を超える場合には、換気ファンによる風量を下げて弱めの換気を行うようにすることができる。
例えば、人が同じ環境に留まっているとその環境の臭いに慣れてしまい、臭気の強度が僅かに上昇してもその変化に気付かないことがあるが、その環境の臭気の強度が急上昇すると、普段は気にならないレベルの臭気であってもその臭気の変化に気付いて不快に感じてしまうことがある。
そこで、単位時間に臭気の強度が急上昇した場合に、風量を下げるように換気ファンを作動させることで、室内を換気しつつも室外に異臭を生じさせないようにした。
【００１２】
また、望ましくは、
前記第２流路には、その流路の開度を切り替える空調ダンパが設けられ、
前記空調ダンパと前記換気ファンの間の前記第２流路には、その第２流路から前記室内に通じる第３流路が設けられており、
前記換気量調整手段は、前記空調ダンパによる流路の開度の切り替えによって、前記排気口を通じて室外に排出する前記空気の量を調節するようにする。
【００１３】
このような換気装置であれば、室外に設置した臭気センサが検知した臭気のレベルに応じて、空調ダンパによる第２流路の開度の切り替えるようにして、排気口を通じて室外に排出する空気の量を調節することができる。
例えば、室外に設置した臭気センサが検知した臭気が弱いレベルである場合、室外に排出する空気の量を多くするように流路の開度を上げて（流路を広げて）強めの換気を行い、室外に設置した臭気センサが検知した臭気が強いレベルである場合、室外に排出する空気の量を少なくするように流路の開度を下げて（流路を狭めて）弱めの換気を行うことができる。
このようにして、室外に悪臭を生じさせないように室内の換気を行うことができる。
ここで、第２流路の開度を下げるように切り替えた場合、吸込口から吸い込んだ室内の空気の一部が第３流路を通じて室内に環流されるようになる。
【００１４】
また、望ましくは、
前記換気量調整手段は、前記臭気センサが検知した臭気の強度が所定値を超える場合には、前記流路の開度を下げ、前記臭気センサが検知した臭気の強度が所定値以下である場合には、前記流路の開度を上げるように、前記空調ダンパを作動させる制御を実行するようにする。
【００１５】
このような換気装置であれば、室外に設置した臭気センサが検知した臭気の強度が所定値を超える場合には、空調ダンパを作動させて第２流路の開度を下げて弱めの換気を行い、室外に設置した臭気センサが検知した臭気の強度が所定値以下である場合には、空調ダンパを作動させて第２流路の開度を上げて強めの換気を行うようにすることができる。
こうすることで、室外に悪臭を生じさせないように室内の換気を行うことができる。
【００１６】
また、望ましくは、
前記換気量調整手段は、前記臭気センサが検知した臭気の強度の変化率が所定の上昇率を超える場合には、前記流路の開度を下げるように、前記空調ダンパを作動させる制御を実行するようにする。
【００１７】
このような換気装置であれば、室外に設置した臭気センサが検知した臭気の強度の変化率が所定の上昇率を超える場合には、空調ダンパを作動させて第２流路の開度を下げて弱めの換気を行うようにすることができる。
例えば、人が同じ環境に留まっているとその環境の臭いに慣れてしまい、臭気の強度が僅かに上昇してもその変化に気付かないことがあるが、その環境の臭気の強度が急上昇すると、普段は気にならないレベルの臭気であってもその臭気の変化に気付いて不快に感じてしまうことがある。
そこで、単位時間に臭気の強度が急上昇した場合に、換気の風量を下げるように第２流路の開度を下げることで、室内を換気しつつも室外に異臭を生じさせないようにした。
【００１８】
また、望ましくは、
前記第３流路には、脱臭ユニットが設けられているようにする。
【００１９】
この換気装置において空調ダンパを作動させて第２流路の開度を下げるように切り替えた場合、吸込口から吸い込んだ室内の空気の一部が第３流路を通じて室内に環流されるようになっている。
その第３流路に脱臭ユニットが設けられていれば、第３流路を通じて室内に環流される空気は脱臭ユニットによって脱臭処理されるので、第２流路の開度を下げて室外に排出する空気の量を減らしても、室内の臭気を低減させる室内環境の改善を図ることができる。
【発明の効果】
【００２０】
本発明によれば、室外に悪臭を生じさせないように室内の換気を行うことができる。
【図面の簡単な説明】
【００２１】
【図１】実施形態１の換気装置を示す概略図である。
【図２】実施形態２の換気装置を示す概略図である。
【発明を実施するための形態】
【００２２】
以下、図面を参照して、本発明に係る換気装置の実施形態について詳細に説明する。但し、以下に述べる実施形態には、本発明を実施するために技術的に好ましい種々の限定が付されているが、本発明の範囲を以下の実施形態及び図示例に限定するものではない。
【００２３】
（実施形態１）
本実施形態の換気装置１００は、例えば建屋の室内の空気を室外に排出する換気を行う装置である。この換気装置１００の主要部は、建屋の天井裏のスペースに設けられている。
実施形態１の換気装置１００は、例えば、図１に示すように、室内の空気を吸い込む吸込口１１ａと換気ファン１０の間に設けられている第１流路１１と、その空気を室外に排出する排気口１２ａと換気ファン１０の間に設けられている第２流路１２と、排気口１２ａの配設位置に対応させて室外の所定位置に設置されている臭気センサ２０と、臭気センサ２０が検知した臭気のレベルに応じて、排気口１２ａを通じて室外に排出する空気の量を調節する換気量調整手段としての制御部５０等を備えている。
なお、建屋には、室内に外気（空気）を取り込むためのガラリと称される通気口Ｇが設けられている。
【００２４】
第１流路１１と第２流路１２は、所謂ダクトによって構成されており、そのダクトの管内が空気の流路となる。
第１流路１１の室内側端部に吸込口１１ａが設けられ、第２流路１２の室外側端部に排気口１２ａが設けられている。
なお、吸込口１１ａには、塵埃を捕捉するフィルター（図示省略）が交換可能に設けられている。
【００２５】
換気ファン１０は、室内の空気を吸込口１１ａから吸い込んで、排気口１２ａから室外に排出する気流をつくる所謂送風機である。
この換気ファン１０は、例えば羽根車の回転速度（回転数）を切り替えることで、換気する風量の調節が可能になっている。
具体的には、換気ファン１０が送風する風量を上げるほど、排気口１２ａから室外に排出する空気の量を増やした強めの換気を行うことができ、換気ファン１０が送風する風量を下げるほど、排気口１２ａから室外に排出する空気の量を減らした弱めの換気を行うことができる。
【００２６】
臭気センサ２０は、例えば、アンモニアやメチルメルカプタンなどの悪臭成分を検知するセンサである。
臭気センサ２０は、例えば、排気口１２ａの下方であって、起立した姿勢の人の顔の高さに相当する位置（例えば、成人が多い環境では路面から１５０〜１８０ｃｍ程度の高さの位置、また児童が多い環境では路面から１００〜１２０ｃｍ程度の高さの位置）に設置されている。
この臭気センサ２０が検知した臭気に関するデータは、制御部５０に送出される。
【００２７】
制御部５０は、例えば、各種の演算処理等を行うＣＰＵと、ＣＰＵにより実行される各種制御プログラムが格納されるＲＯＭ、ＥＥＰＲＯＭ等を備えて構成されている。
この制御部５０は、臭気センサ２０が検知した臭気のレベルに応じて、換気ファン１０による換気の風量を調節する換気量調整手段として機能する。
【００２８】
具体的には、換気量調整手段としての制御部５０は、臭気センサ２０が検知した臭気の強度が所定値を超える場合には、換気ファン１０による風量を下げ、臭気センサ２０が検知した臭気の強度が所定値以下である場合には、換気ファン１０による風量を上げるように、換気ファン１０を作動させる制御を実行する。
例えば、無臭である（全く感知できない）臭気強度を「レベル０」、殆んど感知できない臭気強度を「レベル１」、やっと感知できる臭気強度を「レベル２」、何の臭いか分かる程度の臭気強度を「レベル３」、楽に感知できる臭気強度を「レベル４」、強く感知される臭気強度を「レベル５」と区分したとき、臭気センサ２０が検知した臭気の強度が「レベル４」「レベル５」である場合（レベル３を超える場合）、換気ファン１０による風量を“弱”にするように換気ファン１０を作動させ、臭気センサ２０が検知した臭気の強度が「レベル０」「レベル１」「レベル２」「レベル３」である場合（レベル３以下である場合）、換気ファン１０による風量を“強”にするように換気ファン１０を作動させる。（ここでの所定値はレベル３）
こうして、換気ファン１０による風量の“弱”と“強”を切り替えることで、室内を換気しつつも室外に悪臭が生じないようにしている。
【００２９】
また、換気量調整手段としての制御部５０は、臭気センサ２０が検知した臭気の強度の変化率が所定の上昇率を超える場合には、換気ファン１０による風量を下げるように、換気ファン１０を作動させる制御を実行する。
例えば、既定の単位時間（例えば１分間）に、臭気センサ２０が検知した臭気の強度が「レベル０」から「レベル２」や「レベル３」に上昇した場合や、「レベル１」から「レベル３」に上昇した場合に、換気ファン１０による風量を“弱”にするように換気ファン１０を作動させる。ここでは、単位時間に２段階以上、臭気強度のレベルが上昇した場合に、換気ファン１０による風量を“弱”にするように換気ファン１０を作動させている。
例えば、人が同じ環境に留まっているとその環境の臭いに慣れてしまい、臭気の強度が僅かに上昇してもその変化に気付かないことがあるが、その環境の臭気の強度が急上昇すると、「レベル２」や「レベル３」の臭気であってもその臭気の変化に気付いて不快に感じてしまうことがある。
そこで、単位時間に２段階以上、臭気強度のレベルが上昇した場合に、換気ファン１０による風量を“弱”に切り替えることで、室内を換気しつつも室外に異臭が生じないようにしている。
【００３０】
このように、実施形態１の換気装置１００は、室外に設置した臭気センサ２０が検知した臭気の強度が所定値以下の「レベル０」「レベル１」「レベル２」「レベル３」である場合、換気の風量を上げる“強”に切り替えて換気ファン１０を作動させることで、室内の換気を強めに行うことができ、また、室外に設置した臭気センサ２０が検知した臭気の強度が所定値を超えている「レベル４」「レベル５」である場合、換気の風量を下げる“弱”に切り替えて換気ファン１０を作動させることで、室内の換気を弱めに行うことができる。
つまり、室内の空気を排出した室外でその換気による臭気の悪化がない場合には、室内の換気を強めに行って、室内環境の改善を図ることができる。
一方、室内の空気を排出した室外でその換気による臭気の悪化が懸念される場合には、臭気の発生源である室内の環境改善は二の次にしてその室内の換気を弱めに行うことで、室外の環境悪化を招かないようにすることができる。
【００３１】
また、実施形態１の換気装置１００は、室外に設置した臭気センサ２０が検知した臭気の強度の変化率が所定の上昇率を超え、例えば単位時間に２段階以上臭気強度のレベルが上昇した場合には、その臭気レベルが「レベル３」である場合でも、換気の風量を下げる“弱”に切り替えて換気ファン１０を作動させることで、室内の換気を弱めに行うことができる。
つまり、室内の空気を排出した室外で臭気の強度が急上昇した場合には、「レベル３」の臭気であっても異臭に感じてしまうことがあるので、臭気の発生源である室内の環境改善は二の次にしてその室内の換気を弱めに行うことで、室外の環境悪化を招かないようにすることができる。
【００３２】
以上のように、実施形態１の換気装置１００であれば、室外に設置した臭気センサ２０が検知した臭気の強度に応じて換気ファン１０を作動させて、室内の空気を室外に排出する換気の風量の強弱を切り替える調整を行うことによって、室外に悪臭を生じさせないように室内の換気を行うことができる。
【００３３】
（実施形態２）
次に、本発明に係る換気装置の実施形態２について説明する。なお、実施形態１と同一部分には同符号を付し、異なる部分についてのみ説明する。
【００３４】
実施形態２の換気装置１００は、例えば、図２に示すように、その第２流路１２に流路の開度を切り替える空調ダンパ３０が設けられており、空調ダンパ３０と換気ファン１０の間の第２流路１２には、その第２流路１２から室内に通じる第３流路１３が設けられている。
なお、実施形態２の換気ファン１０は一定の出力で気流をつくり、送風する風量が一定の送風機である。
【００３５】
第３流路１３は、第１流路１１と第２流路１２と同様に所謂ダクトによって構成されており、そのダクトの管内が空気の流路となる。
この第３流路１３は、吸込口１１ａから吸い込んだ室内の空気の一部を室内に環流させる流路であり、第３流路１３の室内側端部には吹出口１３ａが設けられている。
【００３６】
第３流路１３の一部を成している吹出口１３ａの近傍には、脱臭ユニット１４が設けられている。
脱臭ユニット１４は、例えば、酸化チタンを含んでいる光触媒脱臭ユニットであり、第３流路１３を通過する空気中の臭気成分（例えば、アンモニアやメチルメルカプタンなど）を分解・脱臭する機能を有している。
つまり、第３流路１３を通じて吹出口１３ａから室内に環流される空気は、この脱臭ユニット１４によって脱臭処理されるようになっている。
なお、脱臭ユニット１４は光触媒脱臭ユニットであることに限らず、活性炭による物理吸着式の脱臭ユニットや、化学吸着剤による化学吸着式の脱臭ユニットや、人工酵素の触媒反応による分解を利用した脱臭ユニットなどであってもよい。
【００３７】
空調ダンパ３０は、例えば、スリットが形成された２枚のダンパープレートが重ね合わされている構成を有し、その２枚のダンパープレートのうち、一方のダンパープレートをモータなどの駆動によってスライドさせることにより、第２流路１２の流路の開度を切り替え可能としている。
この空調ダンパ３０が、第２流路１２の開度を切り替えることで、換気する風量の調節が可能になっている。
具体的には、空調ダンパ３０が第２流路１２の開度を上げてその流路を広くするほど、排気口１２ａから室外に排出する空気の量を増やした強めの換気を行うことができ、空調ダンパ３０が第２流路１２の開度を下げてその流路を狭くするほど、排気口１２ａから室外に排出する空気の量を減らした弱めの換気を行うことができる。
また、空調ダンパ３０が第２流路１２の開度を上げるほど、第３流路１３を通じて室内に環流される空気の量を減らし、空調ダンパ３０が第２流路１２の開度を下げるほど、第３流路１３を通じて室内に環流される空気の量を増やすようになっている。
なお、空調ダンパ３０は、２枚のダンパープレートを備えた構成であることに限らず、他の機構によって流路の開度を切り替えるダンパであってもよい。
【００３８】
実施形態２での制御部５０は、臭気センサ２０が検知した臭気のレベルに応じて、空調ダンパ３０による流路の開度を調節して、換気の風量（室外に排出する空気の量）を切り替える換気量調整手段として機能する。
【００３９】
具体的には、換気量調整手段としての制御部５０は、臭気センサ２０が検知した臭気の強度が所定値を超える場合には、第２流路１２の開度を下げ、臭気センサ２０が検知した臭気の強度が所定値以下である場合には、第２流路１２の開度を上げるように、空調ダンパ３０を作動させる制御を実行する。
例えば、無臭である（全く感知できない）臭気強度を「レベル０」、殆んど感知できない臭気強度を「レベル１」、やっと感知できる臭気強度を「レベル２」、何の臭いか分かる程度の臭気強度を「レベル３」、楽に感知できる臭気強度を「レベル４」、強く感知される臭気強度を「レベル５」と区分したとき、臭気センサ２０が検知した臭気の強度が「レベル４」「レベル５」である場合（レベル３を超える場合）、空調ダンパ３０による流路の開度を“狭”にするように空調ダンパ３０を作動させて換気の風量を少なくし、臭気センサ２０が検知した臭気の強度が「レベル０」「レベル１」「レベル２」「レベル３」である場合（レベル３以下である場合）、空調ダンパ３０による流路の開度を“広”にするように空調ダンパ３０を作動させて換気の風量を多くする。（ここでの所定値はレベル３）
こうして、空調ダンパ３０による流路の開度の“狭”と“広”を切り替えて、換気の風量を調節することで、室内を換気しつつも室外に悪臭が生じないようにしている。
【００４０】
また、換気量調整手段としての制御部５０は、臭気センサ２０が検知した臭気の強度の変化率が所定の上昇率を超える場合には、第２流路１２の開度を下げるように、空調ダンパ３０を作動させる制御を実行する。
例えば、既定の単位時間（例えば１分間）に、臭気センサ２０が検知した臭気の強度が「レベル０」から「レベル２」や「レベル３」に上昇した場合や、「レベル１」から「レベル３」に上昇した場合に、空調ダンパ３０による流路の開度を“狭”にするように空調ダンパ３０を作動させて換気の風量を少なくする。ここでは、単位時間に２段階以上、臭気強度のレベルが上昇した場合に、空調ダンパ３０による流路の開度を“狭”にするように空調ダンパ３０を作動させて換気の風量を少なくしている。
例えば、人が同じ環境に留まっているとその環境の臭いに慣れてしまい、臭気の強度が僅かに上昇してもその変化に気付かないことがあるが、その環境の臭気の強度が急上昇すると、「レベル２」や「レベル３」の臭気であってもその臭気の変化に気付いて不快に感じてしまうことがある。
そこで、単位時間に２段階以上、臭気強度のレベルが上昇した場合に、空調ダンパ３０による流路の開度を“狭”に切り替えるように空調ダンパ３０を作動させて換気の風量を少なくすることで、室内を換気しつつも室外に異臭が生じないようにしている。
【００４１】
特に、実施形態２の換気装置１００において、空調ダンパ３０による流路の開度を“狭”に切り替えて第２流路１２の開度を下げた場合、第３流路１３を通じて吹出口１３ａから室内に環流される空気の量が増えるようになっている。
第３流路１３を通じて吹出口１３ａから室内に環流される空気は脱臭ユニット１４によって脱臭処理されているので、第２流路１２の開度を下げて室外に排出する空気の量を減らしても、室内の臭気を低減させる室内環境の改善を図ることができる。
つまり、実施形態２の換気装置１００であれば、第２流路１２を通じて室内の空気を室外に排出する換気を弱めに行っても、第３流路１３を通じて室内の空気を環流させることで、室内の臭気を低減させることができる。
【００４２】
このように、実施形態２の換気装置１００は、室外に設置した臭気センサ２０が検知した臭気の強度が所定値以下の「レベル０」「レベル１」「レベル２」「レベル３」である場合、第２流路１２の開度を上げる“広”に切り替えるように空調ダンパ３０を作動させることで、室内の換気を強めに行うことができ、また、室外に設置した臭気センサ２０が検知した臭気の強度が所定値を超えている「レベル４」「レベル５」である場合、第２流路１２の開度を下げる“狭”に切り替えるように空調ダンパ３０を作動させることで、室内の換気を弱めに行うことができる。
つまり、室内の空気を排出した室外でその換気による臭気の悪化がない場合には、室内の換気を強めに行って、室内環境の改善を図ることができる。
一方、室内の空気を排出した室外でその換気による臭気の悪化が懸念される場合には、室外の環境悪化を招かないように室内の換気を弱めにしつつも、脱臭ユニット１４が設けられている第３流路１３を通じて室内の空気を環流させることによって、室内の臭気を低減させる環境改善を図ることができる。
【００４３】
また、実施形態２の換気装置１００は、室外に設置した臭気センサ２０が検知した臭気の強度の変化率が所定の上昇率を超え、例えば単位時間に２段階以上臭気強度のレベルが上昇した場合には、その臭気レベルが「レベル３」である場合でも、第２流路１２の開度を下げる“狭”に切り替えるように空調ダンパ３０を作動させることで、室内の換気を弱めに行うことができる。
つまり、室内の空気を排出した室外で臭気の強度が急上昇した場合には、「レベル３」の臭気であっても異臭に感じてしまうことがあるので、室外の環境悪化を招かないように室内の換気を弱めに行うようにする。
なお、室内の換気を弱めにしても、脱臭ユニット１４が設けられている第３流路１３を通じて室内の空気を環流させることによって、室内の臭気を低減させる環境改善を図ることができる。
【００４４】
以上のように、実施形態２の換気装置１００であれば、室外に設置した臭気センサ２０が検知した臭気の強度に応じて空調ダンパ３０を作動させて、第２流路１２の開度を切り替えて、室内の空気を室外に排出する換気の風量を調節することによって、室外に悪臭を生じさせないように室内の換気を行うことができる。
【００４５】
このように、本実施形態の換気装置１００は、室外に設置した臭気センサ２０が検知した臭気の強度に応じて、室内の空気を室外に排出する換気の風量を切り替えることによって、室外に悪臭を生じさせないように室内の換気を行うことができる。
【００４６】
なお、以上の実施の形態においては、臭気の強度がレベル０〜レベル３であるとき換気の風量を上げ、臭気の強度がレベル４〜レベル５であるとき換気の風量を下げるというように、風量を強／弱の２種類に切り替えたが、本発明はこれに限定されるものではなく、風量の切り替えは任意であり、例えば、風量を強／中／弱の３種類に切り替えたり、風量を強／中／弱／微弱の４種類に切り替えたりするようにしてもよく、また、風量を無段階で切り替えるようにしてもよい。（ここでは、臭気の強度をレベル０〜レベル５に区分し、所定値をレベル３としている。）
【００４７】
また、臭気強度の基準は上述したレベル０〜レベル５の区分けであることに限らず、任意の区分けであってよく、臭気成分毎に異なる区分け（例えば、アンモニアとメチルメルカプタンでは異なる区分け）であってもよい。
【００４８】
また、以上の実施の形態においては、臭気強度を臭気の感知に基づくレベル０〜レベル５に区分し、その所定値をレベル３としたときの制御を例に説明したが、本発明はこれに限定されるものではなく、例えば、臭気の強度の所定値を臭気成分の濃度の値（単位ppm）とし、その濃度を所定値（閾値）とした制御で換気の風量を切り替えるようにしてもよい。
【００４９】
また、その他、具体的な細部構造等についても適宜に変更可能であることは勿論である。
【符号の説明】
【００５０】
１０    換気ファン
１１    第１流路
１１ａ  吸込口
１２    第２流路
１２ａ  排気口
１３    第３流路
１３ａ  吹出口
１４    脱臭ユニット
２０    臭気センサ
３０    空調ダンパ
５０    制御部（換気量調整手段）
１００  換気装置
Ｇ      通気口
【図１】
2019143932.tif 000003
【図２】
2019143932.tif 000004